(57)【要約】【課題】各種のサイズの撮像装置を天井や壁等の開口内に埋め込んで、簡単に固定できるようにする。【解決手段】保持部１０１ａ、本体部１０１ｂ、及び規制部１０１ｃを有する金具本体１０１と、回転可能に設けられた固定ネジ１０２と、固定ネジ１０２の回転によって移動する移動部材１０３と、移動部材１０３に設けられた回転軸１０４と、回転軸１０４を中心に回動し、移動部材１０３とともに移動する固定部材１０５と、保持部１０１ａと平行になる方向に固定部材１０５を回動させるように付勢するバネ材１０６とを備え、固定部材１０５は、規制部１０１ｃによる規制位置では、バネ材１０６の付勢に抗して本体部１０１ｂと平行な状態に回動し、規制位置から外れると、バネ材１０６の付勢によって保持部１０１ａと平行になる埋込み金具１００を用いた。【選択図】図５
2008139332.tif 000002
【特許請求の範囲】
【請求項１】
板材を表裏両面から挟み込み、撮像装置の台座側を前記板材の開口内に埋め込んで固定する撮像装置の埋込み金具であって、
前記板材の一面側を保持する保持部、前記保持部の直交方向に伸びる本体部、及び前記保持部と対向する規制部を有する金具本体と、
前記本体部と平行に回転可能に設けられた固定ネジと、
前記固定ネジの正逆回転によって前記保持部と前記規制部との間を往復移動する移動部材と、
前記固定ネジの直交方向で前記移動部材に設けられた回転軸と、
前記回転軸を中心に回動し、前記移動部材とともに前記保持部に向かって移動して前記板材の他面側を保持する固定部材と、
前記保持部と平行になる方向に前記固定部材を回動させるように付勢するバネ材と
を備え、
前記固定部材は、前記規制部による規制位置では、前記バネ材の付勢に抗して前記本体部と平行な状態に回動し、規制位置から外れると、前記バネ材の付勢によって前記保持部と平行になる
ことを特徴とする撮像装置の埋込み金具。
【請求項２】
請求項１に記載の撮像装置の埋込み金具において、
前記本体部は、前記撮像装置に固定されるブラケットを前記保持部と前記規制部との間の複数の位置で取付け可能である
ことを特徴とする撮像装置の埋込み金具。
【請求項３】
埋込み金具によって板材を表裏両面から挟み込み、撮像装置の台座側を前記板材の開口内に埋め込んで固定する撮像装置の埋込み構造であって、
前記埋込み金具は、
前記板材の一面側を保持する保持部、前記保持部の直交方向に伸びる本体部、及び前記保持部と対向する規制部を有する金具本体と、
前記本体部と平行に回転可能に設けられた固定ネジと、
前記固定ネジの正逆回転によって前記保持部と前記規制部との間を往復移動する移動部材と、
前記固定ネジの直交方向で前記移動部材に設けられた回転軸と、
前記回転軸を中心に回動し、前記移動部材とともに前記保持部に向かって移動して前記板材の他面側を保持する固定部材と、
前記保持部と平行になる方向に前記固定部材を回動させるように付勢するバネ材と
を備えており、
前記固定部材は、前記規制部による規制位置では、前記バネ材の付勢に抗して前記本体部と平行な状態に回動して格納され、規制位置から外れると、前記バネ材の付勢によって前記保持部と平行になり、前記保持部との間で前記板材を挟み込む
ことを特徴とする撮像装置の埋込み構造。
【請求項４】
埋込み金具によって板材を表裏両面から挟み込み、撮像装置の台座側を前記板材の開口内に埋め込んで固定する撮像装置の埋込み方法であって、
前記埋込み金具は、
前記板材の一面側を保持する保持部、前記保持部の直交方向に伸びる本体部、及び前記保持部と対向する規制部を有する金具本体と、
前記本体部と平行に回転可能に設けられた固定ネジと、
前記固定ネジの正逆回転によって前記保持部と前記規制部との間を往復移動する移動部材と、
前記固定ネジの直交方向で前記移動部材に設けられた回転軸と、
前記回転軸を中心に回動し、前記移動部材とともに前記保持部に向かって移動して前記板材の他面側を保持する固定部材と、
前記保持部と平行になる方向に前記固定部材を回動させるように付勢するバネ材と
を備えており、
前記規制部による規制位置では前記バネ材の付勢に抗して前記本体部と平行な状態に回動する前記固定部材を規制位置に位置させて格納し、
この状態で前記撮像装置の台座側を前記板材の開口内に埋め込んだ後、
前記固定部材を前記保持部に向けて移動させて前記規制部による規制位置から外すとともに、前記バネ材の付勢によって前記保持部と平行にし、
さらに前記固定部材を移動させて前記保持部との間で前記板材を挟み込み、前記撮像装置を固定する
ことを特徴とする撮像装置の埋込み方法。
【発明の詳細な説明】
【技術分野】
【０００１】
本発明は、撮像装置の台座側を板材の開口内に埋め込み、板材を両面から挟み込んで撮像装置を固定する撮像装置の埋込み金具、撮像装置の埋込み構造、及び撮像装置の埋込み方法に係るものである。そして、詳しくは、各種のサイズの撮像装置を簡単に固定できるようにした技術に関するものである。
【背景技術】
【０００２】
撮像装置として、例えば、建物の天井や壁等に設置される監視用のドーム型ビデオカメラがある。このドーム型ビデオカメラは、病院、ホテル、デパート等における安全性の確保やサービス性の向上等を目的として設置され、撮影画像によって監視を行うようにしたものである。すなわち、レンズによって構成される光学ブロックと、撮像素子によって構成される撮像ブロックとを鏡筒に収容し、この鏡筒を水平方向（以下、「パン方向」と言う）及び垂直方向（以下、「チルト方向」と言う）に回転できるように取り付けるとともに、ドーム型のカバーで鏡筒の可動領域の外周を覆ったものである。そして、撮像ブロックからの撮像信号は、同軸ケーブルによって監視室のモニタに接続される。
【０００３】
ここで、このようなドーム型ビデオカメラを設置するには、背面に同軸ケーブルを接続した後、建物の天井や壁等に埋込み金具で固定する。次に、鏡筒の角度調整機構によってレンズを所定の方位（方向及び角度）に調整し、レンズのフォーカス及びズームを設定する。この際、携帯型のモニタを使用して、設置現場でモニタ画像を見ながら撮像方向及び撮像範囲を確認しながら行う。そして最後に、ドーム型のカバーを前面に取り付けて防塵を行い、一連の設置作業を終了する。
【０００４】
このように、ドーム型ビデオカメラは、埋込み金具を使用して建物の天井や壁等に固定し、鏡筒の角度調整を行ってレンズの方位を設定する。そして、埋込み金具としては、ドーム型ビデオカメラの台座側を天井等の開口内に埋め込み、天井等を表裏両面から挟み込んで固定する技術が知られている。すなわち、台座に対して放射方向に伸びる部分及び垂直方向に伸びる部分を有するＬ字形の金具本体と、台座の垂直方向に移動可能に設けられた固定部材とを備え、金具本体の放射方向に伸びる部分と固定部材との間に天井等を挟み込んで固定するようにした埋込み金具である（例えば、特許文献１参照）。
【特許文献１】特開２０００−１６５７１０号公報
【０００５】
図６は、従来の埋込み金具２００，３００によってドーム型ビデオカメラ１０を天井１３０に取り付けた状態を示す断面図であり、図６（ａ）が上記の特許文献１に記載された埋込み金具２００で、図６（ｂ）が他の従来例の埋込み金具３００である。
図６に示すように、ドーム型ビデオカメラ１０は、埋込み金具２００，３００を用いて天井１３０に取り付けられる。すなわち、台座４０にブラケット１１０を取り付け、ブラケット１１０の周囲に設けた埋込み金具２００，３００により、天井１３０の上下を挟み込んで固定する。そして、鏡筒５０の角度調整を行った後、蓋１２０によって埋込み金具２００，３００等を覆い隠す。
【０００６】
ここで、図６（ａ）に示す埋込み金具２００は、台座４０（ブラケット１１０）に対して放射方向に伸びる部分及び垂直方向に伸びる部分を有するＬ字形の金具本体２０１を有している。また、金具本体２０１に固定ネジ２０２が回転可能に取り付けられ、この固定ネジ２０２に固定部材２０５がネジ込まれている。そして、固定ネジ２０２を回転させると、その回転方向に固定部材２０５が９０°〜１８０°回転し、その後は、固定ネジ２０２の締付け方向又は緩め方向にしたがって固定部材２０５が往復移動するようになっている。
【０００７】
このような埋込み金具２００によってドーム型ビデオカメラ１０を天井１３０に固定するには、まず最初に、固定部材２０５を台座４０に向かう内向きとなるように回転（９０°〜１８０°）させておき、固定部材２０５が埋込みの際の邪魔にならないようにしておく。そして、埋込み金具２００を取り付けたドーム型ビデオカメラ１０の台座４０及びブラケット１１０を天井１３０の開口内に埋め込んだ後、固定ネジ２０２を締付け方向に回転させ、固定部材２０５を台座４０の放射方向に反転（９０°〜１８０°）させて外向きとする。その後、さらに固定ネジ２０２をネジ込んで行くと、固定部材２０５が天井１３０に近づくように移動する。そのため、金具本体２０１（Ｌ字形の放射方向に伸びる部分）と固定部材２０５との間に天井１３０が挟み込まれ、ドーム型ビデオカメラ１０が固定される。
【０００８】
また、図６（ｂ）に示す埋込み金具３００によってドーム型ビデオカメラ１０を固定するには、まず最初に、固定ネジ３０２を緩めておき、金具本体３０１の放射方向に伸びる部分と固定部材３０５との間に十分な開口ができるようにしておく。そして、埋込み金具３００を傾けながら、金具本体３０１の放射方向に伸びる部分と固定部材３０５との間に天井１３０が入るようにする。その後、ドーム型ビデオカメラ１０の台座４０に固定したブラケット１１０を金具本体３０１に取り付けるとともに、固定ネジ３０２をネジ込む。すると、固定部材３０５が天井１３０に近づくように移動するので、金具本体３０１（Ｌ字形の放射方向に伸びる部分）と固定部材３０５との間に天井１３０が挟み込まれ、ドーム型ビデオカメラ１０が固定される。
【発明の開示】
【発明が解決しようとする課題】
【０００９】
しかし、図６に示す従来の埋込み金具２００，３００は、ドーム型ビデオカメラ１０の固定に手間がかかるという問題がある。すなわち、図６（ａ）に示す埋込み金具２００では、最初に、固定部材２０５を台座４０に向かう内向きとなるように回転させておく必要があるが、何らかの理由で固定ネジ２０２が回転してしまうと、固定部材２０５が多少なりとも外向きに変わってしまう。すると、ドーム型ビデオカメラ１０の埋込みの際に、再度、固定部材２０５を内向きにやり直さなければならない。
【００１０】
また、ドーム型ビデオカメラ１０には、各種のサイズ（台座４０の高さの違い等）のものがあるが、固定部材２０５を回転させたときに、固定部材２０５と台座４０（又はブラケット１１０）とが干渉し、固定部材２０５を内向きにできない場合があるので、干渉が生じないように、ドーム型ビデオカメラ１０に合わせて、各種のサイズの埋込み金具２００を用意しておく必要がある。
【００１１】
一方、図６（ｂ）に示す埋込み金具３００では、埋込み金具３００を傾けながら、金具本体３０１の放射方向に伸びる部分と固定部材３０５との間に天井１３０を入れなければならず、しかも、その後でブラケット１１０を金具本体３０１に取り付けることとなるので、作業性が非常に悪い。特に、天井１３０へのドーム型ビデオカメラ１０の固定は、上を向いて作業しなければならないので、簡単に固定でき、各種のサイズのドーム型ビデオカメラ１０の埋込みに対応できる技術が求められている。
【００１２】
したがって、本発明が解決しようとする課題は、各種のサイズの撮像装置（例えば、ドーム型ビデオカメラ等）を天井や壁等の開口内に埋め込んで、簡単に固定できるようにすることである。
【課題を解決するための手段】
【００１３】
本発明は、以下の解決手段により、上述の課題を解決する。
本発明の１つである請求項１に記載の発明は、板材を表裏両面から挟み込み、撮像装置の台座側を前記板材の開口内に埋め込んで固定する撮像装置の埋込み金具であって、前記板材の一面側を保持する保持部、前記保持部の直交方向に伸びる本体部、及び前記保持部と対向する規制部を有する金具本体と、前記本体部と平行に回転可能に設けられた固定ネジと、前記固定ネジの正逆回転によって前記保持部と前記規制部との間を往復移動する移動部材と、前記固定ネジの直交方向で前記移動部材に設けられた回転軸と、前記回転軸を中心に回動し、前記移動部材とともに前記保持部に向かって移動して前記板材の他面側を保持する固定部材と、前記保持部と平行になる方向に前記固定部材を回動させるように付勢するバネ材とを備え、前記固定部材は、前記規制部による規制位置では、前記バネ材の付勢に抗して前記本体部と平行な状態に回動し、規制位置から外れると、前記バネ材の付勢によって前記保持部と平行になることを特徴とする。
【００１４】
また、本発明の他の１つである請求項３に記載の発明は、埋込み金具によって板材を表裏両面から挟み込み、撮像装置の台座側を前記板材の開口内に埋め込んで固定する撮像装置の埋込み構造であって、前記埋込み金具は、前記板材の一面側を保持する保持部、前記保持部の直交方向に伸びる本体部、及び前記保持部と対向する規制部を有する金具本体と、前記本体部と平行に回転可能に設けられた固定ネジと、前記固定ネジの正逆回転によって前記保持部と前記規制部との間を往復移動する移動部材と、前記固定ネジの直交方向で前記移動部材に設けられた回転軸と、前記回転軸を中心に回動し、前記移動部材とともに前記保持部に向かって移動して前記板材の他面側を保持する固定部材と、前記保持部と平行になる方向に前記固定部材を回動させるように付勢するバネ材とを備えており、前記固定部材は、前記規制部による規制位置では、前記バネ材の付勢に抗して前記本体部と平行な状態に回動して格納され、規制位置から外れると、前記バネ材の付勢によって前記保持部と平行になり、前記保持部との間で前記板材を挟み込むことを特徴とする。
【００１５】
さらにまた、本発明の他のもう１つである請求項４に記載の発明は、埋込み金具によって板材を表裏両面から挟み込み、撮像装置の台座側を前記板材の開口内に埋め込んで固定する撮像装置の埋込み方法であって、前記埋込み金具は、前記板材の一面側を保持する保持部、前記保持部の直交方向に伸びる本体部、及び前記保持部と対向する規制部を有する金具本体と、前記本体部と平行に回転可能に設けられた固定ネジと、前記固定ネジの正逆回転によって前記保持部と前記規制部との間を往復移動する移動部材と、前記固定ネジの直交方向で前記移動部材に設けられた回転軸と、前記回転軸を中心に回動し、前記移動部材とともに前記保持部に向かって移動して前記板材の他面側を保持する固定部材と、前記保持部と平行になる方向に前記固定部材を回動させるように付勢するバネ材とを備えており、前記規制部による規制位置では前記バネ材の付勢に抗して前記本体部と平行な状態に回動する前記固定部材を規制位置に位置させて格納し、この状態で前記撮像装置の台座側を前記板材の開口内に埋め込んだ後、前記固定部材を前記保持部に向けて移動させて前記規制部による規制位置から外すとともに、前記バネ材の付勢によって前記保持部と平行にし、さらに前記固定部材を移動させて前記保持部との間で前記板材を挟み込み、前記撮像装置を固定することを特徴とする。
【００１６】
（作用）
上記の請求項１、請求項３、及び請求項４に記載の発明において、埋込み金具は、板材の一面側を保持する保持部、保持部の直交方向に伸びる本体部、及び保持部と対向する規制部を有する金具本体と、本体部と平行に回転可能に設けられた固定ネジと、固定ネジの正逆回転によって保持部と規制部との間を往復移動する移動部材と、固定ネジの直交方向で移動部材に設けられた回転軸と、回転軸を中心に回動し、移動部材とともに保持部に向かって移動して板材の他面側を保持する固定部材と、保持部と平行になる方向に固定部材を回動させるように付勢するバネ材とを備えている。そして、固定部材は、規制部による規制位置では、バネ材の付勢に抗して本体部と平行な状態に回動し、規制位置から外れると、バネ材の付勢によって保持部と平行になる。
【００１７】
そのため、埋込み金具の固定ネジを回転させ、規制部による規制位置に固定部材を位置させておけば、固定部材が格納された状態となるので、撮像装置の台座側を板材の開口内に埋め込むことができる。また、固定ネジを逆回転させ、規制部による規制位置から固定部材を外せば、固定部材が保持部と平行になるので、保持部と固定部材との間に板材を挟み込むことができる。
【発明の効果】
【００１８】
上記の発明によれば、規制部による規制位置に固定部材を位置させておけば、固定部材が格納された状態となるので、撮像装置の埋込みが簡単になる。また、固定部材は、移動部材とともに移動するだけで、撮像装置と干渉することがないので、各種のサイズ（台座の高さの違い等）の撮像装置に対応できる。さらにまた、固定ネジを回転させれば、バネ材によって固定部材が自動的に回動し、保持部と固定部材との間に板材を挟み込めるようになるので、撮像装置の固定が簡単になる。
【発明を実施するための最良の形態】
【００１９】
以下、図面を参照して、本発明の一実施形態について説明する。
なお、以下の実施形態では、撮像装置として、監視用のドーム型ビデオカメラ１０を例に挙げている。このドーム型ビデオカメラ１０は、安全性の確保やサービス性の向上等を目的として、病院、ホテル、デパート等の天井１３０に設置され、撮影画像によって監視を行うものである。そして、本実施形態の埋込み金具１００は、このようなドーム型ビデオカメラ１０を天井１３０に埋め込んで固定するものである。
【００２０】
図１は、後述する本実施形態の埋込み金具１００によって天井に固定されるドーム型ビデオカメラ１０を示す外観図であり、図１（ａ）がドーム型ビデオカメラ１０の側面図で、図１（ｂ）がその斜視図である。
図１に示すように、ドーム型ビデオカメラ１０は、ドーム型（半球状）のカバー２０をケース３０に取り付けた外観となっており、台座４０側を天井１３０（図示せず）に向けて設置する。すなわち、天井１３０に設置される際には、図１に示す方向とは逆に、カバー２０が下に向き、台座４０が上側に位置する。
【００２１】
ここで、カバー２０は、光透過性を有するモールド品（アクリル樹脂の射出成形品）となっている。すなわち、アクリル樹脂とすることにより、光屈折率が１．５で、光透過率が９０％以上と高く、光学レンズに近いものとすることができ、射出成形によって精度の良い鏡面仕上げとすることができる。そして、ドーム型ビデオカメラ１０は、できるだけ監視に気づかれないようにしながらの撮像が可能となるように、一般的には、カバー２０を半透明に仕上げている。例えば、射出成形する際にカーボン材料を混入し、光透過率を調整してスモーク仕上げとしたり、表面にアルミニウム等の金属粉をコーティングしてハーフミラー仕上げとし、光透過率、光反射率、及び光吸収率をそれぞれ３３％程度としている。
【００２２】
また、ケース３０は、モールド品（ＡＢＳ樹脂等の成形品）であり、円筒状に成形されている。そして、カバー２０は、このケース３０に脱着可能に取り付けられている。すなわち、カバー２０の円形の周縁部には、１２０°ごとの等間隔で３つの突片（図示せず）が形成されており、ケース３０には、各突片に対応するように３つの切欠き（図示せず）が形成されている。そのため、カバー２０を取り付ける際には、カバー２０の各突片をケース３０の各切欠きに同時に挿入し、カバー２０を回転させれば、各突片が各切欠きの奥に入り、ケース３０に保持されることとなる。一方、カバー２０をケース３０から取り外すには、取付け時と逆に、カバー２０を反対方向に回転させ、各突片を各切欠きから引き抜けば良い。
【００２３】
そして、カバー２０及びケース３０の内部には、レンズや撮像素子（例えば、ＣＣＤ（Charge Coupled Devices）デバイス等）を収容した鏡筒５０（図１（ａ）参照）が配置されており、この鏡筒５０は、台座４０に回転可能に保持されている。そのため、ケース３０からカバー２０を取り外して鏡筒５０を所望の向きや角度に設定しておけば、その撮影画像によって所望の位置の監視を行うことができる。また、ケース３０に半透明のカバー２０を取り付けることによって鏡筒５０が外側から見えないように隠すことができる。
【００２４】
このようなカバー２０及びケース３０を備えるドーム型ビデオカメラ１０は、台座４０側を天井１３０（図示せず）の開口内に埋め込んで固定される。すなわち、台座４０は、アルミニウム合金等の金属でダイキャスト成形された円盤状の基部４１を備えており、基部４１にブラケット１１０（図示せず）を固定し、後述する本実施形態の埋込み金具１００（図示せず）を用いて天井１３０に埋め込まれる。なお、ドーム型ビデオカメラ１０を埋込み固定した際には、同軸ケーブルによって監視室のモニタと接続されるが、同軸ケーブルも天井１３０に埋め込まれ、外側から見えないように隠される。
【００２５】
図２は、図１に示すドーム型ビデオカメラ１０における台座４０及び鏡筒５０を示す外観図であり、図２（ａ）が台座４０及び鏡筒５０の側面図で、図２（ｂ）がその斜視図である。
図１に示すドーム型ビデオカメラ１０において、カバー２０及びケース３０を取り外すと、図２に示すように、台座４０及び鏡筒５０が露出する。
【００２６】
ここで、台座４０は、円盤状の基部４１と、基部４１に設置され、鏡筒５０の回転球部５２を載置する支持部材４２と、回転球部５２を収容して鏡筒５０の抜けを防止する円筒状の抜止め部材４３とを備えている。そして、基部４１には、撮像素子の撮像面に結像した像の光による明暗を電荷の量に光電変換し、それを順次読み出して電気信号に変換するための各種の電子部品を実装した回路基板６０が取り付けられている。なお、回路基板６０は、信号処理基板及び電源基板として機能し、モニタ出力端子、同軸ケーブルターミナル、その他のスイッチやボリューム等を備えている。
【００２７】
また、支持部材４２は、回転球部５２を載置し、抜止め部材４３に向けて回転球部５２を押圧する円盤状の可動板４４と、可動板４４を往復移動させる固定ネジ４５とを備えている。そして、可動板４４は、可動板４４の周縁部であって、支持部材４２に設けられた回転軸４６を中心に回動し、固定ネジ４５は、回転軸４６と反対側の支持部材４２に設けられ、可動板４４の周縁部にネジ込まれている。
【００２８】
したがって、固定ネジ４５を時計回り（ネジ込む方向）に回転させると、可動板４４が一端側の回転軸４６を中心に回動（図２では、上向きに回動）し、他端側が抜止め部材４３に向けて移動する。その結果、可動板４４に載置された回転球部５２が抜止め部材４３に向けて押圧される。逆に、固定ネジ４５を反時計回りに回転させると、可動板４４が一端側の回転軸４６を中心に逆に回動（図２では、下向きに回動）し、他端側が基部４１に向けて移動する。
【００２９】
そして、鏡筒５０は、回転球部５２によってパン方向及びチルト方向に回転可能となっており、レンズ７１を所望の方位（方向及び角度）に設定できる。すなわち、固定ネジ４５を反時計回りに回転させ、可動板４４を基部４１に向けて回動させておけば、抜止め部材４３と回転球部５２との間に隙間が生じ、回転球部５２に対する拘束力が発生しないので、鏡筒５０をパン方向及びチルト方向に自由に回転させることができる。
【００３０】
また、固定ネジ４５を時計回りに回転させ、固定ネジ４５側で抜止め部材４３から離れていた可動板４４を抜止め部材４３に向けて移動させれば、可動板４４に載置されている回転球部５２が抜止め部材４３と接触して押圧されるようになる。そのため、回転球部５２が抜止め部材４３と可動板４４との間で圧着されることとなり、可動板４４に対して回転球部５２が動くことなく固定される。その結果、調整されたパン方向及びチルト方向のまま鏡筒５０が動かずに固定され、レンズ７１の方位（方向及び角度）が正確に設定される。
【００３１】
したがって、天井１３０（図示せず）に固定したドーム型ビデオカメラ１０のレンズ７１を所望の方位に設定し、カバー２０を取り付け（図１に示す状態）て撮像することにより、所望の位置の監視を行うことができる。なお、鏡筒５０には、フォーカスリング５３及びズームレバー５４が取り付けられており、撮像対象物からの光を撮像素子の撮像面に所望の大きさで結像させることができる。
【００３２】
図３は、本実施形態の埋込み金具１００によって図１に示すドーム型ビデオカメラ１０を天井１３０に取り付けた状態を示す断面図及び側面図である。
図３に示すように、ドーム型ビデオカメラ１０は、埋込み金具１００を用いて天井１３０に取り付けられる。すなわち、台座４０の基部４１にブラケット１１０を取り付け、ブラケット１１０の周囲に設けた埋込み金具１００の固定部材１０５を天井１３０に向けて移動させ、天井１３０の表裏両面を挟み込んで固定する。そして、前述したようにして鏡筒５０の角度調整を行い、カバー２０を取り付けた後、蓋１２０によって埋込み金具１００等を覆い隠す。
【００３３】
図４は、本実施形態の埋込み金具１００を示す外観図であり、図４（ａ）が埋込み金具１００の斜視図で、図４（ｂ）がその正面図で、図４（ｃ）がその断面図である。
図４に示すように、埋込み金具１００は、金具本体１０１と、固定ネジ１０２と、移動部材１０３と、回転軸１０４と、固定部材１０５と、バネ材１０６とを備えている。
【００３４】
ここで、金具本体１０１は、天井１３０（図３参照）の表面側を保持する保持部１０１ａ、保持部１０１ａの直交方向に伸びる本体部１０１ｂ、及び保持部１０１ａと対向する規制部１０１ｃを有している。そして、保持部１０１ａは、天井１３０の表面側に平面的に接する平板状のものであり、本体部１０１ｂは、保持部１０１ａの一辺から垂直に立ち上がり、両側に補強リブを備える平板状のものであり、規制部１０１ｃは、保持部１０１ａの反対側で本体部１０１ｂから折れ曲がるＬ字状のものである。
【００３５】
このような金具本体１０１には、ブラケット１１０（図３参照）を複数の位置で取り付けることができる。すなわち、本体部１０１ｂは、ブラケット１１０を保持部１０１ａと規制部１０１ｃとの間の複数の位置に取付け可能となっているので、サイズ（例えば、図３に示す台座４０の高さ）が変わっても、ブラケット１１０の取付け位置を変更するだけで良い。そのため、本実施形態の埋込み金具１００は、サイズが異なる各種のドーム型ビデオカメラ１０（図３参照）に対し、１種類を付け替えるだけで対応できる共通化されたユニットとなっている。
【００３６】
また、固定ネジ１０２は、本体部１０１ｂと平行に、保持部１０１ａと規制部１０１ｃ（保持部１０１ａと平行するＬ字状の部分）との間で回転可能に設けられている。すなわち、固定ネジ１０２を保持部１０１ａから規制部１０１ｃに向けて通し、規制部１０１ｃ側の２つのナットで金具本体１０１から外れないようにしている。そのため、固定ネジ１０２は、保持部１０１ａ側の頭部を回すことにより、移動部材１０３を移動させることができる。
【００３７】
この移動部材１０３は、Ｌ字状のものであり、固定ネジ１０２にネジ込まれている。そのため、固定ネジ１０２の正逆回転によって保持部１０１ａと規制部１０１ｃとの間を往復移動する。そして、本体部１０１ｂと平行するＬ字状の部分が本体部１０１ｂに沿って移動し、規制部１０１ｃ側では、規制部１０１ｃのＬ字状に折れ曲がった内部に格納される。
【００３８】
また、移動部材１０３には、固定ネジ１０２の直交方向に回転軸１０４が設けられている。そして、この回転軸１０４に固定部材１０５が取り付けられている。そのため、固定部材１０５は、回転軸１０４を中心として、本体部１０１ｂと平行な状態から保持部１０１ａと平行な状態まで９０°回動する。しかも、回転軸１０４が移動部材１０３に設けられていることから、固定部材１０５は、移動部材１０３とともに移動する。
【００３９】
さらにまた、移動部材１０３には、回転軸１０４に通されたバネ材１０６が設けられている。このバネ材１０６は、ねじりコイルバネであり、保持部１０１ａと平行になる方向に固定部材１０５を回動させるように付勢する。なお、バネ材１０６の付勢によって回動した固定部材１０５は、移動部材１０３によって回動範囲が規制され、保持部１０１ａと平行な状態で保持される。
【００４０】
このように、固定ネジ１０２の正逆回転によって移動部材１０３が往復移動し、移動部材１０３とともに固定部材１０５も移動するが、固定部材１０５は、規制部１０１ｃによる規制位置では、バネ材１０６の付勢に抗して本体部１０１ｂと平行な状態に回動する。すなわち、バネ材１０６の付勢によって保持部１０１ａと平行になっている固定部材１０５は、規制部１０１ｃに向かって移動して規制部１０１ｃの先端部に接触すると、バネ材１０６の付勢に抗する押圧力を受けるようになる。そして、さらに固定部材１０５を規制部１０１ｃに向けて移動させると、規制部１０１ｃの先端部による押圧が続く規制位置となり、固定部材１０５の回転中心（回転軸１０４）と規制部１０１ｃの押圧位置との相対的な位置関係の変化によって固定部材１０５が徐々に回動し、最終的に本体部１０１ｂと平行な状態まで折り畳まれ、金具本体１０１に格納される。
【００４１】
逆に、規制部１０１ｃによる規制位置で本体部１０１ｂと平行な状態に回動している固定部材１０５を保持部１０１ａに向けて移動させると、固定部材１０５の回転中心（回転軸１０４）が規制部１０１ｃの先端部（固定部材１０５に対する押圧部）よりも保持部１０１ａ側になるので、バネ材１０６の付勢によって固定部材１０５が徐々に起き上がるように回動する。そして、規制部１０１ｃによる規制位置から外れると、今度は、移動部材１０３によって規制されるようになり、最終的に保持部１０１ａと平行な状態で固定部材１０５の回動が止まる。
【００４２】
また、固定部材１０５が保持部１０１ａと平行な状態となった後は、その状態のまま固定部材１０５が保持部１０１ａに向かって移動し、保持部１０１ａとの間隔が徐々に狭くなる。そのため、固定部材１０５と保持部１０１ａとの間で天井１３０（図３参照）を挟み込むことができるようになり、ドーム型ビデオカメラ１０（図３参照）の固定が可能となる。
【００４３】
図５は、本実施形態の埋込み金具１００の動作を示す断面図であり、図５（ａ）〜（ｄ）は、天井１３０に対するドーム型ビデオカメラ１０（図３参照）の固定の手順を示している。
図５に示すように、埋込み金具１００は、天井１３０を表裏両面から挟み込み、ドーム型ビデオカメラ１０の台座４０（図３参照）側を天井１３０の開口内に埋め込んで固定する。そこで以下、図５（ａ）〜（ｄ）により、本実施形態の埋込み金具１００によるドーム型ビデオカメラ１０の具体的な埋込み方法について説明する。
【００４４】
図５（ａ）は、ドーム型ビデオカメラ１０（図３参照）の埋込みの第１段階であり、固定部材１０５の格納状態を示している。すなわち、金具本体１０１の規制部１０１ｃによる規制位置（図５（ａ）に示す位置）では、規制部１０１ｃと回転軸１０４との相対的な位置関係から、固定部材１０５が規制部１０１ｃによってバネ材１０６の付勢に抗する押圧力を受け、本体部１０１ｂと平行になるまで回動する。そのため、固定部材１０５は、図５（ａ）に示すように、金具本体１０１に格納される。なお、格納された固定部材１０５は、天井１３０よりも上側に位置するようになっている。
【００４５】
このような固定部材１０５の格納状態では、ドーム型ビデオカメラ１０（図３参照）の埋込みに際して固定部材１０５が突き出していないので、ドーム型ビデオカメラ１０の台座４０（図３参照）側を天井１３０の開口内に簡単に埋め込むことができる。すると、図５（ａ）に示すように、金具本体１０１の保持部１０１ａが天井１３０の表面側に接触した状態となる。そして、この状態で固定ネジ１０２を時計回り（ネジ込み方向）に回転させれば、移動部材１０３が保持部１０１ａに向かって移動する。
【００４６】
移動部材１０３が保持部１０１ａに向かって移動すると、図５（ｂ）に示すように、移動部材１０３とともに回転軸１０４、固定部材１０５、及びバネ材１０６も移動する。そのため、金具本体１０１の規制部１０１ｃ（固定部材１０５に押圧力を作用させる規制部１０１ｃの先端部）と回転軸１０４との相対的な位置関係が変化し、固定部材１０５が規制部１０１ｃによる規制位置から外れるようになるので、バネ材１０６の付勢によって固定部材１０５が起き上がる。そして、固定ネジ１０２を時計回り（ネジ込み方向）に回転させ続けることにより、固定部材１０５が保持部１０１ａ（天井１３０）に向かって移動しつつ、保持部１０１ａと平行になるように回動する。
【００４７】
このような固定部材１０５の回動は、移動部材１０３の規制によって停止する。すなわち、固定部材１０５が金具本体１０１の保持部１０１ａと平行になるまで回動すると、図５（ｃ）に示すように、固定部材１０５の上面が移動部材１０３と接触する。そのため、バネ材１０６で付勢された固定部材１０５の回動が規制されるようになり、保持部１０１ａと平行な状態で保持される。そして、固定ネジ１０２を時計回り（ネジ込み方向）にさらに回転させると、固定部材１０５は、図５（ｃ）に示す状態のまま、移動部材１０３及び回転軸１０４を介して、保持部１０１ａ（天井１３０）に向かって移動を続ける。
【００４８】
保持部１０１ａ（天井１３０）に向かって移動した固定部材１０５は、最終的に、図５（ｄ）に示すように、天井１３０の裏面側に接触した状態となる。すなわち、金具本体１０１の保持部１０１ａと固定部材１０５とによって天井１３０の表裏両面が挟み込まれるようになる。そのため、固定ネジ１０２の時計回り（ネジ込み方向）に回転させれば、保持部１０１ａと固定部材１０５とが天井１３０を締め付けるので、ドーム型ビデオカメラ１０（図３参照）の固定が完了する。なお、ドーム型ビデオカメラ１０を取り外すには、逆の手順をたどれば良い。
【００４９】
このように、本実施形態の埋込み金具１００は、ドーム型ビデオカメラ１０を天井１３０等の開口内に埋め込んで、簡単に固定できる。そのため、病院、ホテル、デパート等における安全性の確保やサービス性の向上等を目的として設置される監視用の撮像装置（例えば、ドーム型ビデオカメラ）の埋込み金具として特に好適なものである。
【００５０】
以上、本発明の一実施形態について説明したが、本発明は、上述した実施形態に限定されるものではない。すなわち、本実施形態では、埋込み固定する撮像装置として、監視用のドーム型ビデオカメラ１０を例に挙げたが、これに限ることなく、例えば、会議室用のビデオカメラ等、各種の用途のビデオカメラや、ビデオカメラ以外の撮像装置の台座側を板材の開口内に埋め込んで固定できる。
【図面の簡単な説明】
【００５１】
【図１】本実施形態の埋込み金具によって天井に固定されるドーム型ビデオカメラを示す外観図である。
【図２】図１に示すドーム型ビデオカメラにおける台座及び鏡筒を示す外観図である。
【図３】本実施形態の埋込み金具によってドーム型ビデオカメラを天井に取り付けた状態を示す断面図及び側面図である。
【図４】本実施形態の埋込み金具を示す外観図である。
【図５】本実施形態の埋込み金具の動作を示す断面図である。
【図６】従来の埋込み金具によってドーム型ビデオカメラを天井に取り付けた状態を示す断面図である。
【符号の説明】
【００５２】
１０  ドーム型ビデオカメラ（撮像装置）
４０  台座
１００  埋込み金具
１０１  金具本体
１０１ａ  保持部
１０１ｂ  本体部
１０１ｃ  規制部
１０２  固定ネジ
１０３  移動部材
１０４  回転軸
１０５  固定部材
１０６  バネ材
１１０  ブラケット
１３０  天井（板材）
【図１】
2008139332.tif 000003
【図２】
2008139332.tif 000004
【図３】
2008139332.tif 000005
【図４】
2008139332.tif 000006
【図５】
2008139332.tif 000007
【図６】
2008139332.tif 000008